(57)【特許請求の範囲】
【請求項１】
窓部とスパンドレル部を備えたカーテンウォールユニットであって、
前記カーテンウォールユニットは、ユニット枠における窓部用枠部の室内側部に窓部用窓を取り付けて窓部とし、前記ユニット枠におけるスパンドレル部用枠部の室外側部にスパンドレル部用窓を取り付けてスパンドレル部とし、前記窓部用窓の室外側面をスパンドレル部用窓の室内側面よりも室内寄りとし、窓部用枠の内周面と窓部用窓の室外側面とで凹陥部を有し、
前記ユニット枠におけるスパンドレル部用枠部の室内側部に耐火パネルを取り付けたことを特徴とするカーテンウォールユニット。
【請求項２】
前記ユニット枠における窓部用枠部の室外側部に、日射遮蔽部材を取り付けた請求項１記載のカーテンウォールユニット。
【請求項３】
前記ユニット枠における窓部用枠部の室外側部の上部と下部のいずれか一方、又は上部と下部の両方にルーバーを取り付けて日射遮蔽部材とした請求項２記載のカーテンウォールユニット。
【請求項４】
前記ユニット枠は、左右の縦枠材と上横枠材と下横枠材と中間横枠材を有し、その左右の縦枠材の下方寄りと下横枠材と中間横枠材で窓部用枠部を形成すると共に、前記左右の縦枠材の上方寄りと上横枠材と中間横枠材でスパンドレル部用枠部を形成し、
前記中間横枠材は空気流通部を有し、その空気流通部は中間横枠材の下面から室外に開口すると共に、中間横枠材の室内側面から空調機器に連通している請求項１〜３いずれか１項記載のカーテンウォールユニット。
【請求項５】
前記縦枠材は、本体と、その本体の室外側部に取り付けられるパネル支持体を有し、
前記縦枠材における窓部用枠部を形成する部分は本体のみとし、
前記縦枠材におけるスパンドレル部用枠部を形成する部分は、本体にパネル支持体を取り付けてパネル取付凹部を有し、このパネル取付凹部にスパンドレル部用窓のパネルの縦縁部が取り付けてある請求項４記載のカーテンウォールユニット。
【請求項６】
請求項１〜５いずれか１項記載のカーテンウォールユニットを、建物躯体に複数取り付けたことを特徴とするカーテンウォール。
【発明の詳細な説明】
【技術分野】
【０００１】
本発明は、建物の外壁として用いるカーテンウォールユニット、及びそのカーテンウォールユニットで構成したカーテンウォールに関する。
【背景技術】
【０００２】
従来、建物の外壁を構成するカーテンウォールとしては、建物の居室と対向した窓部と、下の階の天井と上の階の床との間等の上下階の境界部と対向したスパンドレル部を有したカーテンウォールユニットを、上下方向及び左右方向に複数備えたものが知られている。
そして、前述のように窓部とスパンドレル部を備えたカーテンウォールユニットにおいては、例えば特許文献１に開示したように、窓部の室外側面とスパンドレル部の室外側面とが面外方向に同一位置であるのが、一般的である。
【先行技術文献】
【特許文献】
【０００３】
【特許文献１】実公平２−４１７４号公報
【発明の概要】
【発明が解決しようとする課題】
【０００４】
前述した従来のカーテンウォールのように、窓部の室外側面とスパンドレル部の室外側面が面外方向に同一位置のカーテンウォールユニットであると、その窓部とスパンドレル部を室外から見たときに平坦に見え、そのカーテンウォールユニットで構成したカーテンウォールの外観が変化の少ない単調なデザインとなる。
【０００５】
本発明の目的は、凹凸のある外観のカーテンウォールユニットとし、そのカーテンウォールユニットで構成することで、外観が凹凸のある変化に富んだ意匠性に優れたデザインのカーテンウォールとすることである。
【課題を解決するための手段】
【０００６】
本発明のカーテンウォールユニットは、窓部とスパンドレル部を備えたカーテンウォールユニットであって、
前記カーテンウォールユニットは、ユニット枠における窓部用枠部の室内側部に窓部用窓を取り付けて窓部とし、前記ユニット枠におけるスパンドレル部用枠部の室外側部にスパンドレル部用窓を取り付けてスパンドレル部とし、前記窓部用窓の室外側面をスパンドレル部用窓の室内側面よりも室内寄りとし、窓部用枠の内周面と窓部用窓の室外側面とで凹陥部を有し、
前記ユニット枠におけるスパンドレル部用枠部の室内側部に耐火パネルを取り付けたことを特徴とするカーテンウォールユニットである。
【０００７】
本発明のカーテンウォールユニットにおいては、前記ユニット枠における窓部用枠部の室外側部に、日射遮蔽部材を取り付けることができる。
このようにすれば、居室に入射する日射を制限できる。
しかも、窓部用枠部の室外側部には窓がないから、日射遮蔽部材をスパンドレル部の室外側面と面外方向に同一位置とすることができる。
【０００８】
本発明のカーテンウォールユニットにおいては、前記ユニット枠における窓部用枠部の室外側部の上部と下部のいずれか一方、又は上部と下部の両方にルーバーを取り付けて日射遮蔽部材とすることができる。
このようにすれば、上部に取り付けたルーバーで居室に入射する日射を制限できると共に、下部に取り付けたルーバーで室外から室内が見えないようにできる。
【０００９】
本発明のカーテンウォールユニットにおいては、前記ユニット枠は、左右の縦枠材と上横枠材と下横枠材と中間横枠材を有し、その左右の縦枠材の下方寄りと下横枠材と中間横枠材で窓部用枠部を形成すると共に、前記左右の縦枠材の上方寄りと上横枠材と中間横枠材でスパンドレル部用枠部を形成し、
前記中間横枠材は空気流通部を有し、その空気流通部は中間横枠材の下面から室外に開口すると共に、中間横枠材の室内側面から空調機器に連通することができる。
このようにすれば、中間横枠材の空気流通部を通して空調機器に外気を吸い込んだり、排出することができる。
しかも、中間横枠材の空気流通部は、下面に開口しているから、その空気流通部が室外から見えにくい。
【００１０】
本発明のカーテンウォールユニットにおいては、前記縦枠材は、本体と、その本体の室外側部に取り付けられるパネル支持体を有し、
前記縦枠材における窓部用枠部を形成する部分は本体のみとし、
前記縦枠材におけるスパンドレル部用枠部を形成する部分は、本体にパネル支持体を取り付けてパネル取付凹部を有し、このパネル取付凹部にスパンドレル部用窓のパネルの縦縁部が取り付けることができる。
このようにすれば、縦枠材の本体を窓部とスパンドレル部に連続した一体ものにでき、その本体にパネル支持体を取り付けることでスパンドル部用窓のパネルを取り付けできるので、縦枠材を単純で強固なものにできる。
【００１１】
本発明のカーテンウォールは、前述したカーテンウォールユニットを、建物躯体に複数取り付けたことを特徴とするカーテンウォールである。
【発明の効果】
【００１２】
本発明のカーテンウォールユニットであれば、窓部がスパンドレル部よりも凹んだ外観となるので、凹凸のある外観のカーテンウォールユニットとすることができる。
しかも、前記ユニット枠におけるスパンドレル部用枠部の室内側部に耐火パネルを取り付けしたので、火災時に上下階に延焼することを耐火パネルで防止できる。
さらに、スパンドレル部用枠部の室内側部には耐火パネルを取り付けるスペースがあり、余分な部材を用いることなく耐火パネルを取り付けることができる。
本発明のカーテンウォールであれば、カーテンウォールを設置した外壁を室外から見た際、カーテンウォールユニットの窓部が凹んだ凹凸状に見え、外観が凹凸がある変化に富んだデザインとなる。
【図面の簡単な説明】
【００１３】
【図１】本発明の実施の形態を示すカーテンウォールの外観図である。
【図２】図１のＡ−Ａ概略断面図である。
【図３】図１のＢ−Ｂ概略断面図である。
【図４】図１のＣ−Ｃ概略断面図である。
【図５】上下横枠材部分の詳細縦断面図である。
【図６】中間横枠材部分の詳細縦断面図である。
【図７】窓部の詳細横断面図である。
【図８】スパンドレル部の詳細横断面図である。
【発明を実施するための形態】
【００１４】
図１と図２に示すように、カーテンウォールユニット１を建物躯体２に、上下方向、左右方向に連続して取り付けてカーテンウォールとし、そのカーテンウォールで建物の外壁を構成している。
前記カーテンウォールユニット１は、建物の居室３と対向した窓部１ａと、建物の上下階の境界部４と対向するスパンドレル部１ｂを有している。
前記居室３は床５と天井６との間の部分で、前記境界部４は下の階の天井６と上の階の床５との間の部分である。
【００１５】
前記カーテンウォールユニット１はユニット枠１０を備え、このユニット枠１０は窓部用枠部１０ａとスパンドレル部用枠部１０ｂを有している。
図２と図３に示すように、前記窓部用枠部１０ａの室内側部に窓部用窓７を取り付けて窓部１ａとしてある。
図２と図４に示すように、前記スパンドレル部用枠部１０ｂの室外側部にスパンドレル部用窓８を取り付けてスパンドレル部１ｂとしてある。
【００１６】
このようであるから、窓部用窓７の室外側面、つまり窓部１ａの室外側面が、スパンドレル部用窓８の室外側面、つまりスパンドレル部１ｂの室外側面よりも室内寄りとなるので、カーテンウォールユニット１を室外から見たときに窓部１ａが凹んだ凹凸状に見え、そのカーテンウォールユニット１が上下、左右に連続したカーテンウォールの外観は、凹凸がある変化に富んだ意匠性が優れたデザインとなる。
【００１７】
図２と図４に示すように、前記ユニット枠１０のスパンドレル部用枠部１０ｂの室内側部に耐火パネル９を取り付けてある。
これによって、火災時に上下階に亘って延焼することを防止できる。
しかも、スパンドレル部用枠部１０ｂの室外側部にスパンドレル部用窓８を取り付けたので、室内側部に耐火パネル９を取り付けるスペースを確保でき、スパンドレル部用枠部１０ｂの室内側部に耐火パネル取付用の余分な部材、例えば増し材等を設ける必要がなく、スパンドレル部１ｂに耐火パネル９をコスト安で、簡単に取り付けできる。
【００１８】
前記窓部１ａの室外側部に日射遮蔽部材、例えばルーバー２０を取り付け、このルーバー２０の室外側面（窓部１ａの室外側面）を、スパンドレル部用窓８の室外側面（スパンドレル部１ｂの室外側面）と同一としてある。
このように、窓部１ａの室内側部に窓部用窓７を取り付けたことによって、その窓部１ａの室外側部に日射遮蔽部材、例えばルーバー２０の取り付けるスペースを確保でき、その取り付けスペースを有効利用してルーバー２０を取り付けることで、そのルーバー２０がスパンドレル部１ｂの室外側面よりも室外側に突出しないようにできる。
しかも、ルーバー２０を取り付けるための余分な部品を用いずにルーバー２０を取り付けることができる。
【００１９】
前述のルーバー２０は、窓部１ａの上部寄りに取り付けた上ルーバー２０ａと、窓部１ａの下部寄りに取り付けた下ルーバー２０ｂを有し、窓部１ａの上下中間部分にはルーバー２０が取り付けていない。
前記上ルーバー２０ａは、主として日射が居室３内に入ることを規制する。
前記下ルーバー２０ｂは、主として室外から居室３の下部が見えないように目隠しの役目を果たす。
前記ルーバー２０は窓部１ａの上部と下部のいずれか一方にのみ取り付けても良い。
【００２０】
前記ユニット枠１０は、左右の縦枠材１１，１１に、上横枠材１２、下横枠材１３、中間横枠材１４を連結し、左右の縦枠材１１，１１と下横枠材１３と中間横枠材１４で窓部用枠部１０ａを形成すると共に、左右の縦枠材１１，１１と上横枠材１２と中間横枠材１４でスパンドレル部用枠部１０ｂを形成している。
前記ユニット枠１０は、窓部用枠部１０ａを形成するユニット枠と、スパンドレル部用枠部１０ｂを形成するユニット枠で構成しても良い。
例えば、左右の縦枠材に上横枠材と下横枠材を連結して窓部用枠部を形成する窓部用のユニット枠とし、左右の縦枠材に上横枠材と下横枠材を連結してスパンドレル部用枠部を形成するスパンドレル部用のユニット枠とする。
【００２１】
前記窓部用窓７は嵌め殺し部７ａと開閉部７ｂを有している。
例えば、左右の縦枠材１１の窓用枠部１０ａを形成する部分の下部寄りに亘って横材１５を連結し、この横材１５と中間横枠材１４とに亘って縦材１６を連結して嵌め殺し枠部１７ａと開閉用枠部１７ｂを形成する。
前記嵌め殺し枠部１７ａにガラス等のパネル１８を装着し、開閉用枠部１７ｂに障子１９を開閉自在に取り付ける。
前記窓部用窓７は嵌め殺し部のみとしても良いし、開閉部７ｂのみとしても良い。
【００２２】
前述のように、左右の縦枠材１１と中間横枠材１４と下横枠材１３で窓部用枠部１０ａを形成し、その窓部用枠部１０ａの室内側部に窓部用窓７を取り付けしたので、前述の縦枠材１１の相対向した内側面、中間横枠材１４の下面、下横枠材１３の上面は窓部用窓７よりも室外側に突出し、窓部１ａは、窓部用窓７よりも室外寄りに凹陥部を有している。
【００２３】
前記中間横枠材１４は空気流通部３０を有している。
この空気流通部３０は、中間横枠材１４の下面と室内側面とにそれぞれ開口している。例えば、中間横枠材１４の下面に流入口３１が形成されていると共に、中間横枠材１４の室内側面に流出口３２が形成してある。
前記流出口３２はダクト３３で空調機器などに連通してある。
このようであるから、カーテンウォールユニットの正面上に流入口３１が表出されることなく、中間横枠材１４の下面を有効利用すれば、その空気流通部３０が室外から目立つことがない。
なお、前述の空気流通部３０は空気を室外に排出するものとしても利用できる。この場合には、中間横枠材１４の室内側面に流入口を形成すると共に、下面に流出口を形成すれば良い。
【００２４】
次に、各部の詳細を図５〜図８に基づいて説明する。
前記ユニット枠１０を形成する縦枠材１１は、本体１１ａと、この本体１１ａの室外側部に取り付けたパネル支持体１１ｂを備え、その本体１１ａの室内側部がファスナー２ａで建物躯体２に連結している。
この縦枠材１１における窓部１ａを形成する部分（窓部用枠部１０ａを形成する部分）は、前述の本体１１ａのみとしてある。
前記縦枠材１１におけるスパンドレル部１ｂを形成する部分（スパンドレル部用枠部１０ｂを形成する部分）は、前述の本体１１ａにパネル支持体１１ｂを取り付け、縦枠材１１の室外側部にパネル取付凹部１１ｃを有している。
そして、このパネル取付凹部１１ｃにスパンドレル部用窓８のパネル８ａの左右縦縁部が取り付けてある。
【００２５】
このようであるから、本体１１ａを窓部１ａとスパンドレル部１ｂとに亘って連続した一体ものとし、その本体１１ａのみで窓部用の縦枠材１１とし、本体１１ａにパネル支持体１１ｂを取り付けることでスパンドレル部用の縦枠材１１とすることができ、その縦枠材１１を単純で、強固なものとすることができる。
【００２６】
前述の縦枠材１１の本体１１ａの室外側部には取付部４０が設けてある。
この取付部４０にパネル支持体１１ｂが図８に示すように取り付けられると共に、この取付部４０に図７に示すように、取付補助材２１を取り付け、その取付補助材２１にルーバー２０を連結してある。
例えば、本体１１ａの室外側部に、面内方向の外側に向かう外向片４１を設けると共に、この外向片４１の端部に面外方向の室内側に向かう取付片４２を設け、この取付片４２に係止受片４２ａを設けることで、取付片４２と外向片４１で鉤形状の取付部４０としてある。この外向片４１の室外側面が本体１１ａの室外側面１１ｄである。
【００２７】
前記パネル支持体１１ｂは、面外方向に向かう取付片４３と面内方向に向かう支持片４４で鉤形状で、その取付片４３の係止片４３ａを前記係止受片４２ａに係止して取り付けることで、その支持片４４を本体１１ａの室外側面１１ｄと対向してパネル取付凹部１１ｃを形成する。
前記取付補助材２１は、係止片２１ａを有したプレート形状で、その係止片２１ａを前記係止受片４２ａに係止して取り付けることで、取付補助材２１が本体１１ａの室外側面１１ｄよりも室外側に突出する。
そして、取付補助材２１からビスをルーバー２０のビスホール２０ｃに螺合してルーバー２０を本体１１ａの室外側部に取り付ける。
前記取付補助材２１を取付部４０の取付片４３にビスで固着しても良い。この場合には、取付補助材２１を係止片２１ａを有しないものとし、ビスのみで固着して取り付けるようにしても良い。
前記ルーバー２０は、その長手方向端面を縦枠材１１の本体１１ａの内面に接し、ビスで固着して取り付けるようにしても良い。
このようにすれば、取付補助材２１などのルーバーを取り付けるための余分な部品を必要としないようにできる
【００２８】
前記上横枠材１２は図５に示すように、本体１２ａと、その本体１２ａの室外側部に取り付けたパネル支持体１２ｂでパネル取付凹部１２ｃを有する形状で、この本体１２ａの室外側面１２ｄが前述の縦枠材１１の本体１１ａの室外側面１１ｄと面外方向に同一となっている。
そして、前述のパネル取付凹部１２ｃに、前記スパンドレル部用窓８のパネル８ａの上縁部が取り付けられる。
前記下横枠材１３は図５に示すように、前記上横枠材１２の本体１２ａと面外方向寸法（見込み寸法）が同一で、その室外側面１３ａは前述の本体１２ａの室外側面１２ｄと面外方向に同一である。
【００２９】
前記中間横枠材１４は図６に示すように、本体１４ａと、この本体１４ａの室外側部に取り付けたパネル支持体１４ｂでパネル取付凹部１４ｃを有する形状で、そのパネル取付凹部１４ｃにスパンドレル部用窓８のパネル８ａの下縁部が取り付けてある。
前記本体１４ａは、上横材５０と下横材５１と複数の横材５２を備えている。
前記上横材５０は、左右の縦枠材１１の本体１１ａの室内側から室外側に亘って取り付けられ、その室内側部５０ａが上方に位置し、かつ室外側部５０ｂが室内側部５０ａよりも下方に位置している。
前記下横材５１は上横材５０よりも見込み寸法が小さく、前記左右の縦枠材１１の本体１１ａの室内側部間に亘って取り付けられ、この下横材５１は上横材５０と上下方向及び見込み方向に離隔している。
前記横材５２は、上横材５０の室外側部５０ｂと下横材５１との間に室内外側方向に間隔を置いて設けられ、前記左右の縦枠材１１の本体１１ａ間に亘って取り付けてある。
【００３０】
このようであるから、上横材５０の下面と下横材５１の上面と横材５２の上面とで前述の空気流通部３０を形成し、上横材５０の室内側部５０ａの下面と下横材５１の上面との間で流出口３２を形成し、横材５２間で流入口３１を形成している。
【００３１】
前記縦枠材１１の本体１１ａの内側面における室内外側方向の中間部、上横枠材１２の下面における室内外側方向の中間部、下横枠材１３の上面における室内外側方向の中間部、中間横枠材１４の上面と下面における室内外方向の中間部（上横材５０の上面、下横材５１の下面）には、中間内向片６０がそれぞれ設けてある。
この各中間内向片６０は室内外側方向にそれぞれ同一位置である。
前記縦枠材１１の本体１１ａの内側面における室内側寄り、下横枠材１３の上面における室内側寄り、中間横枠材１４の下面における室内側寄り（下横材５１の下面）に第１・第２係止受片６１，６２がそれぞれ設けてある。
この第１係止受片６１は第２係止受片６２よりも室内側寄りで、その各第１係止受片６１、各第２係止受片６２は、それぞれ室内外側方向に同一位置である。
【００３２】
前記縦枠材１１の本体１１ａ、下横枠材１３に設けた第１・第２係止受片６１，６２には押縁６３が取り付けてある。
この押縁６３と中間内向片６０とで窓部用窓７のパネル（嵌め殺し部７ａのパネル１８）の縦縁部と下縁部を支持している。
前記縦枠材１１の本体１１ａの内側面、上横枠材１２の本体１２ａの下面、中間横枠材１４の上面に支持片６４をそれぞれ取り付け、この支持片６４と中間内向片６０とで耐火パネル９の縦縁部、上縁部、下縁部をそれぞれ支持している。
このようであるから、縦枠材１１の本体１１ａを窓部１ａとスパンドレル部１ｂとに亘って連続したものにできると共に、その本体１１ａのスパンドレル部１ｂを形成する部分に耐火パネル９を取り付けできる。
【００３３】
前述の実施の形態では、カーテンウォールユニットをユニット枠１０の下部に窓部１ａ、上部にスパンドレル部１ｂを有する形状としたが、ユニット枠１０の上部と下部にスパンドレル部を有し、上下中間に窓部を有するものとしても良い。
この場合には、居室の下部寄りに腰部を有するものとし、その腰部の室外側に下のスパンドレル部を設けることが好ましい。
また、各カーテンウォールユニットを窓部１ａを凹んだものとしても良いが、いずれかのカーテンウォールユニットの窓部１ａを凹んだものとし、残りのカーテンウォールユニットは窓部１ａとスパンドレル部１ｂの室外側面が同一となるようにしても良い。
【符号の説明】
【００３４】
１…カーテンウォールユニット、１ａ…窓部、１ｂ…スパンドレル部、２…建物躯体、３…居室、４…境界部、５…床、６…天井、７…窓部用窓、８…スパンドレル部用窓、９…耐火パネル、１０…ユニット枠、１０ａ…窓部用枠部、１０ｂ…スパンドレル部用枠部、１１…縦枠材、１１ａ…本体、１１ｂ…パネル支持体、１１ｃ…パネル取付凹部、１２…上横枠材、１３…下横枠材、１４…中間横枠材、２０…ルーバー（日射遮断部材）、２０ａ…上ルーバー、２０ｂ…下ルーバー、３０…空気流通部。
【図１】
0005392763.tif 000002
【図２】
0005392763.tif 000003
【図３】
0005392763.tif 000004
【図４】
0005392763.tif 000005
【図５】
0005392763.tif 000006
【図６】
0005392763.tif 000007
【図７】
0005392763.tif 000008
【図８】
0005392763.tif 000009